【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
可動サンプルである人間の眼球に対してＡスキャンを行うために、重心波数ｋ０を中心として波数を調整可能な波長可変レーザー光源とサンプルから後方散乱される光に対する少なくとも１つのレシーバとを有するとともにサンプルサイズに対応する測定範囲を有する掃引信号源光学コヒーレンスドメイン反射率測定（ＳＳＯＣＤＲ）装置であって、
前記サンプルは３ｍｍよりも小さな直径Ｄの測定ビームを用いて前記サンプルの表面に照射され、
前記光源はδｋ＜１６８ｍ−１のレーザー線幅を有し、
前記光源の波数の調整は重心波数ｋ０を中心としてτ＜４４ｓｅｃ／（Ｄ×ｋ０）の調整時間で実施される、
ことを特徴とする掃引信号源光学コヒーレンスドメイン反射率測定装置。
【請求項２】
前記光源は少なくともΔｋ＞１８０００ｍ−１の、重心波数ｋ０を中心とするスペクトル調整範囲Δｋを有することを特徴とする請求項１に記載の掃引信号源光学コヒーレンスドメイン反射率測定装置。
【請求項３】
前記スペクトル調整範囲Δｋと前記レーザー線幅δｋの比は３６０よりも大きいことを特徴とする請求項２に記載の掃引信号源光学コヒーレンスドメイン反射率測定装置。
【請求項４】
調整速度Δｋ／τと前記レーザー線幅δｋとの割合は１８ｋＨｚよりも大きいことを特徴とする請求項２または３に記載の掃引信号源光学コヒーレンスドメイン反射率測定装置。
【請求項５】
前記レシーバで検出される前記後方散乱光はΔｋ／（τ×δｋ）よりも大きい速度でディジタル化されることを特徴とする請求項２、３、または４に記載の掃引信号源光学コヒーレンスドメイン反射率測定装置。
【請求項６】
前記光源の前記レーザー線幅δｋは２２ｍ−１〜５０ｍ−１にあることを特徴とする請求項２、３、４、または５に記載の掃引信号源光学コヒーレンスドメイン反射率測定装置。
【請求項７】
前記少なくとも１つのレシーバの帯域幅は２×Δｋ／（τ×δｋ）よりも大きく、８０ＭＨｚ未満であることを特徴とする請求項２、３、４、５、または６に記載の掃引信号源光学コヒーレンスドメイン反射率測定装置。
【請求項８】
参照アームを有する干渉計が設けられ、前記Ａスキャンにおける網膜信号および角膜信号の位置と前記レーザー線幅δｋとが互いに一致することを特徴とする請求項１〜７のいずれか一項に記載の眼球用の掃引信号源光学コヒーレンスドメイン反射率測定装置。
【請求項９】
前記測定ビームは眼球に入る前に収束し、該収束のサイズは調整可能または切替可能であることを特徴とする請求項１〜８のいずれか一項に記載の眼球用の掃引信号源光学コヒーレンスドメイン反射率測定装置。
【請求項１０】
前記測定ビームは眼球に入る前にコリメートされ、眼球を固定する手段が設けられていることを特徴とする請求項１〜８のいずれか一項に記載の眼球用の掃引信号源光学コヒーレンスドメイン反射率測定装置。
【請求項１１】
コリメートされた測定ビームと収束測定ビームとを切り替え可能であることを特徴とする請求項１〜８のいずれか一項に記載の眼球用の掃引信号源光学コヒーレンスドメイン反射率測定装置。
【請求項１２】
前記測定ビームは角膜頂点以外で眼球に当たり、前記測定ビームを眼球に対して位置決めするために、前記レシーバによって検出された光を評価することにより制御される装置が設けられることを特徴とする請求項１〜１１のいずれか一項に記載の眼球用の掃引信号源光学コヒーレンスドメイン反射率測定装置。
【請求項１３】
３×１０８〜３×１０１３の光子束が前記光源の調整時間τの期間中に眼球に導かれることを特徴とする請求項１〜１２のいずれか一項に記載の眼球用の掃引信号源光学コヒーレンスドメイン反射率測定装置。
【請求項１４】
前記測定は眼球の視軸に沿って実施されることを特徴とする請求項１〜１３のいずれか一項に記載の眼球用の掃引信号源光学コヒーレンスドメイン反射率測定装置。
【請求項１５】
前記角膜、水晶体、および網膜によって後方散乱される光の検出は前記光源の調整中に実施されることを特徴とする請求項１〜１４のいずれか一項に記載の眼球用の掃引信号源光学コヒーレンスドメイン反射率測定装置。
【請求項１６】
モノモードファイバーが、参照アームおよび／または光源アームおよび／または検出アームおよび／または参照干渉計で使用されることを特徴とする請求項１〜１５のいずれか一項に記載の眼球用の掃引信号源光学コヒーレンスドメイン反射率測定装置。
【請求項１７】
参照信号およびサンプル信号が一定のスキャン速度でディジタル化され、前記参照信号およびサンプル信号に対して同じスキャン速度が使用されることを特徴とする請求項１〜１６のいずれか一項に記載の眼球用の掃引信号源光学コヒーレンスドメイン反射率測定装置。
【請求項１８】
前記測定ビームは６００ｎｍ〜１１５０ｎｍの波長を有することを特徴とする請求項１〜１７のいずれか一項に記載の眼球用の掃引信号源光学コヒーレンスドメイン反射率測定装置。
【請求項１９】
眼球に４００ｎｍ〜９００ｎｍの波長を有する照準マーカーを投影する装置が設けられることを特徴とする請求項１〜１８のいずれか一項に記載の眼球用の掃引信号源光学コヒーレンスドメイン反射率測定装置。
【請求項２０】
眼球に対して前記測定ビームの調整をチェックするカメラが設けられ、前記カメラは前記測定ビームの波長と前記照準マーカーを検知することを特徴とする請求項１〜１９のいずれか一項に記載の眼球用の掃引信号源光学コヒーレンスドメイン反射率測定装置。
【請求項２１】
前記光源は眼球に対して移動可能であり、前記光源と参照干渉計とが接続されることを特徴とする請求項１〜２０のいずれか一項に記載の眼球用の掃引信号源光学コヒーレンスドメイン反射率測定装置。
【請求項２２】
干渉計が眼球に対して移動可能であり、前記光源と干渉計とが接続されることを特徴とする請求項１〜２１のいずれか一項に記載の眼球用の掃引信号源光学コヒーレンスドメイン反射率測定装置。
【請求項２３】
参照干渉計が前記光学コヒーレンスドメイン反射率測定（ＯＣＤＲ）信号の長さ較正のための波数基準を有することを特徴とする請求項１〜２２のいずれか一項に記載の眼球用の掃引信号源光学コヒーレンスドメイン反射率測定装置。
【請求項２４】
角膜により後方散乱されて検出された光が、時間に依存する角膜位置に関する前記調整から評価され、評価された光が予想プロファイルと比較され、予想プロファイルからのずれが角膜、水晶体、および／または網膜の位置データを補正するために使用されることを特徴とする、請求項１５に記載の装置を用いる眼球用の掃引信号源光学コヒーレンスドメイン反射率測定方法。
【請求項２５】
前記測定ビームが個々の調整の期間、または各調整間において横方向に偏向されることを特徴とする、請求項１５に記載の装置を用いる眼球用の掃引信号源光学コヒーレンスドメイン反射率測定方法。
【請求項２６】
測定条件または再構成条件を変更する手段が設けられ、前記測定条件または再構成条件の変更はミラーアーチファクト信号を識別または抑制可能に実施されることを特徴とする請求項１〜２３のいずれか一項に記載の眼球用の掃引信号源光学コヒーレンスドメイン反射率測定装置。
【請求項２７】
前記測定条件または再構成条件を変更する手段は、干渉計のサンプルアームと参照アームとの経路長差を変更するユニットであることを特徴とする請求項２６に記載の掃引信号源光学コヒーレンスドメイン反射率測定装置。
【手続補正２】
【補正対象書類名】明細書
【補正対象項目名】００１４
【補正方法】変更
【補正の内容】
【００１４】
この目的は、以下の装置で実現される。この装置は、可動サンプル、特に人間の眼球に対するＡスキャンを行うために、重心波数ｋ０を中心として波長が可変なレーザー光源とサンプルから後方散乱される光に対する少なくとも１つのレシーバとを有するとともに、サンプル長に対応する測定範囲を有する掃引信号源光学コヒーレンスドメイン反射率測定（ＳＳＯＣＤＲ）装置である。サンプル表面には結合装置を介して直径Ｄの測定ビームが照射され、光源はδｋ＜１６８ｍ−１のスペクトル線幅を有し、光源の調整はτ＜４４ｓ／（Ｄ×ｋ０）で実施される。
【手続補正３】
【補正対象書類名】明細書
【補正対象項目名】００２１
【補正方法】変更
【補正の内容】
【００２１】
角膜、水晶体、および網膜によって後方散乱される光の検出が光源の１回の調整の間に実施される場合、特に好都合である。この場合、レシーバで検出された後方散乱光がΔｋ／（τ×δｋ）よりも大きい速度でディジタル化されると好都合である。これによってスペクトル情報が適切にスキャンされるようになる。